(57)【要約】  本発明は、スリーインワンマルチメディアケーブル及び電子画板システムに関し、該スリーインワンマルチメディアケーブルは、１つのＵＳＢ−ｔｙｐｅ−Ｃプラグ（１００）、１つのＨＤＭＩプラグ（２００）、１つのＵＳＢ−ｔｙｐｅ−Ａプラグ（３００）、及び１つの給電プラグ（４００）を備え、前記ＵＳＢ−ｔｙｐｅ−Ｃプラグ（１００）が、それぞれＨＤＭＩプラグ（２００）、ＵＳＢ−ｔｙｐｅ−Ａプラグ（３００）及び給電プラグ（４００）に接続され、該電子画板システムは、スリーインワンマルチメディアケーブル、ＵＳＢ−ｔｙｐｅ−Ｃソケット、アナログスイッチ、及び電磁スクリーンモジュールを備え、前記マルチメディアケーブルのＵＳＢ−ｔｙｐｅ−Ｃプラグ（１００）がＵＳＢ−ｔｙｐｅ−Ｃソケットに接続され、前記ＵＳＢ−ｔｙｐｅ−Ｃソケットの出力端子がアナログスイッチの入力端子に接続され、前記アナログスイッチの出力端子が電磁スクリーンモジュールの入力端子に接続される。前記スリーインワンマルチメディアケーブルは、ケーブル材の数を減少させることができ、ユーザーが使いやすく、データケーブルの分野に広く使用することができる。【選択図】図１
2021518029.tif 000002
【特許請求の範囲】
【請求項１】
スリーインワンマルチメディアケーブルであって、
１つのＵＳＢ−ｔｙｐｅ−Ｃプラグ、１つのＨＤＭＩプラグ、１つのＵＳＢ−ｔｙｐｅ−Ａプラグ、及び１つの給電プラグを備え、前記ＵＳＢ−ｔｙｐｅ−ＣプラグはＡ１〜Ａ１２ピン及びＢ１〜Ｂ１２ピンを備え、Ａ２ピンとＡ３ピンとが第１差動ピン群であり、Ｂ２ピンとＢ３ピンとが第２差動ピン群であり、Ａ６ピンとＡ７ピンとが第３差動ピン群であり、Ｂ６ピンとＢ７ピンとが第４差動ピン群であり、Ａ１０ピンとＡ１１ピンとが第５差動ピン群であり、Ｂ１０ピンとＢ１１ピンとが第６差動ピン群であり、前記ＨＤＭＩプラグは第７差動ピン群、第８差動ピン群、第９差動ピン群、第１０差動ピン群、ホットプラグ検出ピン、シリアルデータピン、シリアルクロックピン及び５Ｖ電源入力ピンを備え、前記ＵＳＢ−ｔｙｐｅ−Ａプラグは第１１差動ピン群を備え、
前記第７差動ピン群が第１差動ピン群に接続され、前記第８差動ピン群が第２差動ピン群に接続され、前記第９差動ピン群が第５差動ピン群に接続され、前記第１０差動ピン群が第６差動ピン群に接続され、前記第１１差動ピン群がそれぞれ第３差動ピン群及び第４差動ピン群に接続され、前記ＵＳＢ−ｔｙｐｅ−Ａプラグの正電源ピン及び給電プラグの正電源ピンがいずれもＵＳＢ−ｔｙｐｅ−ＣプラグのＡ４ピン、Ｂ４ピン、Ａ９ピン及びＢ９ピンのうちの少なくとも１つに接続され、前記ＵＳＢ−ｔｙｐｅ−Ａプラグのアースピン、給電プラグのアースピン及びＨＤＭＩプラグのアースピンがいずれもＵＳＢ−ｔｙｐｅ−ＣプラグのＡ１ピン、Ｂ１ピン、Ａ１２ピン及びＢ１２ピンのうちの少なくとも１つに接続され、前記５Ｖ電源入力ピン、ホットプラグ検出ピン、シリアルデータピン及びシリアルクロックピンがいずれもＵＳＢ−ｔｙｐｅ−ＣプラグのＡ５ピン、Ｂ５ピン、Ａ８ピン及びＢ８ピンのうちの１つに接続される、ことを特徴とするスリーインワンマルチメディアケーブル。
【請求項２】
前記給電プラグがＵＳＢ−ｔｙｐｅ−Ａ型プラグである、ことを特徴とする請求項１に記載のスリーインワンマルチメディアケーブル。
【請求項３】
前記ＨＤＭＩプラグにはアダプタプレートが設けられ、前記ＵＳＢ−ｔｙｐｅ−Ｃプラグが前記アダプタプレートを介してそれぞれＨＤＭＩプラグ、ＵＳＢ−ｔｙｐｅ−Ａプラグ及び給電プラグに接続される、ことを特徴とする請求項１に記載のスリーインワンマルチメディアケーブル。
【請求項４】
前記ホットプラグ検出ピンがＡ５ピンに接続され、前記５Ｖ電源入力ピンがＢ５ピンに接続される、ことを特徴とする請求項１に記載のスリーインワンマルチメディアケーブル。
【請求項５】
前記シリアルデータピンがＡ８ピンに接続され、前記シリアルクロックピンがＢ８ピンに接続される、ことを特徴とする請求項１に記載のスリーインワンマルチメディアケーブル。
【請求項６】
前記第７差動ピン群、第８差動ピン群、第９差動ピン群及び第１０差動ピン群のうちの１群が差動クロックピン群である、ことを特徴とする請求項１に記載のスリーインワンマルチメディアケーブル。
【請求項７】
前記第１１差動ピン群はＵＳＢ−ｔｙｐｅ−ＡプラグのＤ＋ピン及びＤ−ピンを備え、前記Ｄ＋ピンがＡ６ピン及びＢ６ピンに接続され、前記Ｄ−ピンがＡ７及びＢ７ピンに接続される、ことを特徴とする請求項１に記載のスリーインワンマルチメディアケーブル。
【請求項８】
電子画板システムであって、
ＵＳＢ−ｔｙｐｅ−Ｃソケット、アナログスイッチ、電磁スクリーンモジュール及び請求項１に記載のスリーインワンマルチメディアケーブルを備え、前記マルチメディアケーブルのＵＳＢ−ｔｙｐｅ−ＣプラグがＵＳＢ−ｔｙｐｅ−Ｃソケットに接続され、前記ＵＳＢ−ｔｙｐｅ−Ｃソケットの出力端子がアナログスイッチの入力端子に接続され、前記アナログスイッチの出力端子が電磁スクリーンモジュールの入力端子に接続され、前記アナログスイッチはＵＳＢ−ｔｙｐｅ−Ｃプラグにおける５Ｖ電源入力ピンに接続されるピンの位置を検出して、検出結果に基づいてＵＳＢ−ｔｙｐｅ−Ｃソケットと電磁スクリーンモジュールとの接続関係を切り替えることに用いられる、ことを特徴とする電子画板システム。
【発明の詳細な説明】
【技術分野】
【０００１】
本発明は、データケーブル分野に関し、特にスリーインワンマルチメディアケーブル及び電子画板システムに関する。
【背景技術】
【０００２】
アーティストにとって、電子画板は、仕事をするのに必須な装置となっている。電子画板は一般的にタッチ機能を持つディスプレイを備える。電子画板は作動するときにコンピュータに接続し、コンピュータから画像情報を取得したり、コンピュータへタッチデータを伝送したり、コンピュータ又は他の電源から十分な作動電力を取得したりする。しかしながら、現在、市販されている製品は、それぞれ上記３つのニーズを満たすために、１本のＨＤＭＩ（登録商標）又はＶＧＡケーブル、１本の電源コード及び１本のＵＳＢケーブルを使用するのが一般的である。
【０００３】
ところが、電子画板のようなモバイルツールは、複数の接続ケーブルを使用するのが不便である。
【発明の概要】
【発明が解決しようとする課題】
【０００４】
上記技術的課題を解決するために、本発明の目的は、使いやすいスリーインワンマルチメディアケーブル及び電子画板システムを提供することである。
【課題を解決するための手段】
【０００５】
本発明が用いた第１技術案は以下のとおりである。
【０００６】
スリーインワンマルチメディアケーブルであって、１つのＵＳＢ−ｔｙｐｅ−Ｃプラグ、１つのＨＤＭＩプラグ、１つのＵＳＢ−ｔｙｐｅ−Ａプラグ及び１つの給電プラグを備え、前記ＵＳＢ−ｔｙｐｅ−ＣプラグはＡ１〜Ａ１２ピン及びＢ１〜Ｂ１２ピンを備え、Ａ２ピンとＡ３ピンとが第１差動ピン群であり、Ｂ２ピンとＢ３ピンとが第２差動ピン群であり、Ａ６ピンとＡ７ピンとが第３差動ピン群であり、Ｂ６ピンとＢ７ピンとが第４差動ピン群であり、Ａ１０ピンとＡ１１ピンとが第５差動ピン群であり、Ｂ１０ピンとＢ１１ピンとが第６差動ピン群であり、前記ＨＤＭＩプラグは第７差動ピン群、第８差動ピン群、第９差動ピン群、第１０差動ピン群、ホットプラグ検出ピン、シリアルデータピン、シリアルクロックピン及び５Ｖ電源入力ピンを備え、前記ＵＳＢ−ｔｙｐｅ−Ａプラグは第１１差動ピン群を備え、
前記第７差動ピン群が第１差動ピン群に接続され、前記第８差動ピン群が第２差動ピン群に接続され、前記第９差動ピン群が第５差動ピン群に接続され、前記第１０差動ピン群が第６差動ピン群に接続され、前記第１１差動ピン群がそれぞれ第３差動ピン群及び第４差動ピン群に接続され、前記ＵＳＢ−ｔｙｐｅ−Ａプラグの正電源ピン及び給電プラグの正電源ピンがいずれもＵＳＢ−ｔｙｐｅ−ＣプラグのＡ４ピン、Ｂ４ピン、Ａ９ピン及びＢ９ピンのうちの少なくとも１つに接続され、前記ＵＳＢ−ｔｙｐｅ−Ａプラグのアースピン、給電プラグのアースピン及びＨＤＭＩプラグのアースピンがいずれもＵＳＢ−ｔｙｐｅ−ＣプラグのＡ１ピン、Ｂ１ピン、Ａ１２ピン及びＢ１２ピンのうちの少なくとも１つに接続され、前記５Ｖ電源入力ピン、ホットプラグ検出ピン、シリアルデータピン及びシリアルクロックピンがいずれもＵＳＢ−ｔｙｐｅ−ＣプラグのＡ５ピン、Ｂ５ピン、Ａ８ピン及びＢ８ピンのうちの１つに接続され、且つ前記５Ｖ電源入力ピン、ホットプラグ検出ピン、シリアルデータピン及びシリアルクロックピンが互いに接続されていない、スリーインワンマルチメディアケーブル。
【０００７】
更に、前記給電プラグがＵＳＢ−ｔｙｐｅ−Ａ型プラグである。
【０００８】
更に、前記ＨＤＭＩプラグにはアダプタプレートが設けられ、前記ＵＳＢ−ｔｙｐｅ−Ｃプラグが前記アダプタプレートを介してそれぞれＨＤＭＩプラグ、ＵＳＢ−ｔｙｐｅ−Ａプラグ及び給電プラグに接続される。
【０００９】
更に、前記ホットプラグ検出ピンがＡ５ピンに接続され、前記５Ｖ電源入力ピンがＢ５ピンに接続される。
【００１０】
更に、前記シリアルデータピンがＡ８ピンに接続され、前記シリアルクロックピンがＢ８ピンに接続される。
【００１１】
更に、前記第７差動ピン群、第８差動ピン群、第９差動ピン群及び第１０差動ピン群のうちの１群が差動クロックピン群である。
【００１２】
更に、前記第１１差動ピン群はＵＳＢ−ｔｙｐｅ−ＡプラグのＤ＋ピン及びＤ−ピンを備え、前記Ｄ＋ピンがＡ６ピン及びＢ６ピンに接続され、前記Ｄ−ピンがＡ７及びＢ７ピンに接続される。
【００１３】
本発明が用いた第２技術案は以下のとおりである。
【００１４】
電子画板システムであって、ＵＳＢ−ｔｙｐｅ−Ｃソケット、アナログスイッチ、電磁スクリーンモジュール及びスリーインワンマルチメディアケーブルを備え、前記マルチメディアケーブルのＵＳＢ−ｔｙｐｅ−ＣプラグがＵＳＢ−ｔｙｐｅ−Ｃソケットに接続され、前記ＵＳＢ−ｔｙｐｅ−Ｃソケットの出力端子がアナログスイッチの入力端子に接続され、前記アナログスイッチの出力端子が電磁スクリーンモジュールの入力端子に接続される。
【発明の効果】
【００１５】
本発明によるスリーインワンマルチメディアケーブルの有益な効果は以下のとおりである。１つのＵＳＢ−ｔｙｐｅ−Ｃプラグ、１つのＨＤＭＩプラグ、１つのＵＳＢ−ｔｙｐｅ−Ａプラグ及び１つの給電プラグを備え、本発明のスリーインワンマルチメディアケーブルは、ビデオデータの伝送、データの伝送制御、及び給電の３つの機能を持つ接続ケーブルを１つのＵＳＢ−ｔｙｐｅ−Ｃプラグに統合するものであり、ユーザーが電子画板を使う際に複数種のケーブル材を使用する必要がなく、ユーザーの使用を簡便にする。
【００１６】
本発明による電子画板システムの有益な効果は以下のとおりである。スリーインワンマルチメディアケーブルを備えるため、ユーザーが電子画板を使う際に複数種類のケーブル材を使用する必要がなく、ユーザーの使用を簡便にする。また、この電子画板システムにはアナログスイッチが更に増設されており、スリーインワンマルチメディアケーブルのＵＳＢ−ｔｙｐｅ−Ｃプラグの挿入方向に応じてＵＳＢ−ｔｙｐｅ−Ｃソケットと電磁スクリーンモジュールとの接続関係を自動的に切り替えることができ、このようにして、ユーザーがより簡便に使用できる。
【図面の簡単な説明】
【００１７】
【図１】図１は本発明によるスリーインワンマルチメディアケーブルの外観構造図である。
【図２】図２はＵＳＢ−ｔｙｐｅ−Ｃの標準ピンの定義図である。
【図３】図３は本発明による電子画板システムのモジュールのブロック図である。
【図４】図４は本発明によるアナログスイッチの原理図である。
【発明を実施するための形態】
【００１８】
図１に示すように、スリーインワンマルチメディアケーブルは、１つのＵＳＢ−ｔｙｐｅ−Ｃプラグ、１つのＨＤＭＩプラグ、１つのＵＳＢ−ｔｙｐｅ−Ａプラグ、及び１つの給電プラグを備え、前記ＵＳＢ−ｔｙｐｅ−ＣプラグはＡ１〜Ａ１２ピン及びＢ１〜Ｂ１２ピンを備え、Ａ２ピンとＡ３ピンとが第１差動ピン群であり、Ｂ２ピンとＢ３ピンとが第２差動ピン群であり、Ａ６ピンとＡ７ピンとが第３差動ピン群であり、Ｂ６ピンとＢ７ピンとが第４差動ピン群であり、Ａ１０ピンとＡ１１ピンとが第５差動ピン群であり、Ｂ１０ピンとＢ１１ピンとが第６差動ピン群であり、前記ＨＤＭＩプラグは第７差動ピン群、第８差動ピン群、第９差動ピン群、第１０差動ピン群、ホットプラグ検出ピン、シリアルデータピン、シリアルクロックピン及び５Ｖ電源入力ピンを備え、前記ＵＳＢ−ｔｙｐｅ−Ａプラグは第１１差動ピン群を備え、
前記第７差動ピン群が第１差動ピン群に接続され、前記第８差動ピン群が第２差動ピン群に接続され、前記第９差動ピン群が第５差動ピン群に接続され、前記第１０差動ピン群が第６差動ピン群に接続され、前記第１１差動ピン群がそれぞれ第３差動ピン群及び第４差動ピン群に接続され、前記ＵＳＢ−ｔｙｐｅ−Ａプラグの正電源ピン及び給電プラグの正電源ピンがいずれもＵＳＢ−ｔｙｐｅ−ＣプラグのＡ４ピン、Ｂ４ピン、Ａ９ピン及びＢ９ピンのうちの少なくとも１つに接続され、前記ＵＳＢ−ｔｙｐｅ−Ａプラグのアースピン、給電プラグのアースピン及びＨＤＭＩプラグのアースピンがいずれもＵＳＢ−ｔｙｐｅ−ＣプラグのＡ１ピン、Ｂ１ピン、Ａ１２ピン及びＢ１２ピンのうちの少なくとも１つに接続され、前記５Ｖ電源入力ピン、ホットプラグ検出ピン、シリアルデータピン及びシリアルクロックピンがいずれもＵＳＢ−ｔｙｐｅ−ＣプラグのＡ５ピン、Ｂ５ピン、Ａ８ピン及びＢ８ピンのうちの１つに接続され、且つ前記５Ｖ電源入力ピン、ホットプラグ検出ピン、シリアルデータピン及びシリアルクロックピンが互いに接続されていない。一般的に、マルチメディアケーブルの給電能力及び干渉耐性を確保するために、Ａ４ピン、Ｂ４ピン、Ａ９ピン及びＢ９ピンがいずれもＵＳＢ−ｔｙｐｅ−Ａプラグの正電源ピン及び給電プラグの正電源ピンに接続され、同様に、Ａ１ピン、Ｂ１ピン、Ａ１２ピン及びＢ１２ピンがいずれもＵＳＢ−ｔｙｐｅ−Ａプラグのアースピン、給電プラグのアースピン及びＨＤＭＩプラグのアースピンに接続される。ただし、当業者であれば、実際の必要に応じて一部のみのピンを接続してもよい。
【００１９】
図１に示すように、更に好適な実施形態として、前記給電プラグがＵＳＢ−ｔｙｐｅ−Ａ型プラグである。
【００２０】
更に好適な実施形態として、前記ＨＤＭＩプラグにはアダプタプレートが設けられ、前記ＵＳＢ−ｔｙｐｅ−Ｃプラグが前記アダプタプレートを介してそれぞれＨＤＭＩプラグ、ＵＳＢ−ｔｙｐｅ−Ａプラグ及び給電プラグに接続される。
【００２１】
更に好適な実施形態として、前記ホットプラグ検出ピンがＡ５ピンに接続され、前記５Ｖ電源入力ピンがＢ５ピンに接続される。
【００２２】
更に好適な実施形態として、前記シリアルデータピンがＡ８ピンに接続され、前記シリアルクロックピンがＢ８ピンに接続される。
【００２３】
更に好適な実施形態として、前記第７差動ピン群、第８差動ピン群、第９差動ピン群及び第１０差動ピン群のうちの１群が差動クロックピン群である。
【００２４】
更に好適な実施形態として、前記第１１差動ピン群はＵＳＢ−ｔｙｐｅ−ＡプラグのＤ＋ピン及びＤ−ピンを備え、前記Ｄ＋ピンがＡ６ピン及びＢ６ピンに接続され、前記Ｄ−ピンがＡ７及びＢ７ピンに接続される。
【００２５】
図３に示すように、電子画板システムは、ＵＳＢ−ｔｙｐｅ−Ｃソケット、アナログスイッチ、電磁スクリーンモジュール及びスリーインワンマルチメディアケーブルを備え、前記マルチメディアケーブルのＵＳＢ−ｔｙｐｅ−ＣプラグがＵＳＢ−ｔｙｐｅ−Ｃソケットに接続され、前記ＵＳＢ−ｔｙｐｅ−Ｃソケットの出力端子がアナログスイッチの入力端子に接続され、前記アナログスイッチの出力端子が電磁スクリーンモジュールの入力端子に接続される。
【００２６】
以下、明細書の図面を参照しながら具体的な実施例により本発明を更に説明する。
【００２７】
図１に示すように、本実施例はスリーインワンマルチメディアケーブルを開示し、該マルチメディアケーブルは、１つのＵＳＢ−ｔｙｐｅ−Ｃプラグ１００、１つのＨＤＭＩプラグ２００、１つのＵＳＢ−ｔｙｐｅ−Ａプラグ３００、及び１つの給電プラグ４００を備える。前記ＨＤＭＩプラグ２００内にはアダプタプレートが設けられ、前記ＵＳＢ−ｔｙｐｅ−Ｃプラグ１００がＨＤＭＩプラグ２００内のアダプタプレートを介してそれぞれＨＤＭＩプラグ２００、ＵＳＢ−ｔｙｐｅ−Ａプラグ３００及び給電プラグ４００に接続される。ＨＤＭＩプラグを除く他のプラグは、ケーブル材を介してアダプタプレートに接続される（ＨＤＭＩプラグがアダプタプレートに直接溶接されてもよい）。アダプタプレートをＨＤＭＩプラグ２００内に設置する理由は、ＨＤＭＩプラグの体積がより大きいので、ＰＣＢボードを収納できるためである。
【００２８】
本発明において、給電プラグ４００を増設する目的は、電子画板に十分な電流を供給する（一般的に、コンピュータのＵＳＢインターフェースの給電が５００ｍＡ以下であり、電子画板を駆動できない）ことであり、コンピュータのＵＳＢ、モバイルバッテリー又は充電ソケットに直接挿入して電流を取得するように、前記給電プラグ４００はＵＳＢ−ｔｙｐｅ−Ａ型プラグとして実現されてもよい。
【００２９】
本実施例において、複数のプラグ同士の接続関係は表１に示される。
【００３０】
【表１】
2021518029.tif 000003
【００３１】
ヘッダ項目「ピン」はＵＳＢ−ｔｙｐｅ−Ｃプラグのピンを指し、ヘッダ項目「定義」はＵＳＢ−ｔｙｐｅ−Ｃプラグのピンに対応して接続されるＨＤＭＩプラグ、ＵＳＢ−ｔｙｐｅ−Ａプラグ又は給電プラグのピンを指す。表１におけるプレフィックス「ＵＳＢ」の項目はＵＳＢ−ｔｙｐｅ−Ａプラグのピンを示し、プレフィックス「ＨＤＭＩ」の項目はＨＤＭＩプラグのピンを示す。各プラグの基準電位点は一体に接続され、５ＶＩＮはＨＤＭＩプラグを除く各プラグの電源正極ピンを示す。Ａ２とＡ３、Ｂ２とＢ３、Ａ６とＡ７、Ｂ６とＢ７、Ａ１０とＡ１１及びＢ１０とＢ１１が差動データピン群である。表１及び図２を参照すると、本発明のＵＳＢ−ｔｙｐｅ−ＡプラグとＵＳＢ−ｔｙｐｅ−Ｃプラグとの接続関係はＵＳＢ−ｔｙｐｅ−Ｃの標準ピンの定義を変えていないことが分かり、従って、本発明は、一般的なＵＳＢデータケーブルとして使用してもよい。また、本発明は、更にＵＳＢ−ｔｙｐｅ−Ｃの残りの差動データピン及び他のピンを利用してＨＤＭＩインターフェースの統合を実現する。ＵＳＢ−ｔｙｐｅ−Ｃプラグは、正面と裏面を区別せず、本実施例のＨＤＭＩのピンが対称的に配置されていないため、本実施例によるデータケーブルを用いた電子画板は、ＨＤＭＩインターフェースの５Ｖ電源入力を検出してＨＤＭＩプラグの５Ｖ電源入力ピンの位置に基づいて電子画板内部の接続関係を切り替えると決定するためのアナログスイッチを設置してもよい。例えば、５Ｖ電源入力ピンがＢ５ピンに接続され、アナログスイッチはＵＳＢ−ｔｙｐｅ−ＣプラグのＡ５ピン及びＢ５ピンのうちのどれが５Ｖレベルであるかを検出するだけで、ＵＳＢ−ｔｙｐｅ−Ｃプラグの挿入方向を把握することができ、このとき、アナログスイッチは検出結果に基づいてＵＳＢ−ｔｙｐｅ−Ｃプラグと電子画板ディスプレイとの接続関係を切り替える。
【００３２】
また、他の実施例において、実際の必要に応じてＨＤＭＩプラグとＵＳＢ−ｔｙｐｅ−Ｃプラグとの接続関係を調整してもよい。例えば、ＨＤＭＩ−ＳＣＬとＨＤＭＩ−ＳＤＡを交換し、又は複数の差動ピンの位置を交換する。
【００３３】
図３に示すように、本実施例は、電子画板システムを提供し、該システムは、図１に示されるスリーインワンマルチメディアケーブル、ＵＳＢ−ｔｙｐｅ−Ｃソケット、アナログスイッチ、及び電磁スクリーンモジュールを備え、前記マルチメディアケーブルのＵＳＢ−ｔｙｐｅ−ＣプラグがＵＳＢ−ｔｙｐｅ−Ｃソケットに接続され、前記ＵＳＢ−ｔｙｐｅ−Ｃソケットの出力端子がアナログスイッチの入力端子に接続され、前記アナログスイッチの出力端子が電磁スクリーンモジュールの入力端子に接続される。
【００３４】
図４には、アナログスイッチの原理図を示す。スイッチＳ１とスイッチＳ２とがインターフェースＤの入力レベルにより制御され、図４におけるインターフェースＤがＨＤＭＩ−５Ｖに接続される場合、スイッチＳ１及びスイッチＳ２の状態は図４に示され、ＵＳＢ−ｔｙｐｅ−Ｃプラグ（ソケット）のＡ１０ピンが電子画板の電磁スクリーンモジュールのＡ１０’ピンに接続され、Ｂ１０ピンがＢ１０’ピンに接続される。ＵＳＢ−ｔｙｐｅ−Ｃプラグが逆方向に挿入されており、インターフェースＤがＨＤＭＩ−５Ｖの高レベルを検出できない場合（又は、他の検出インターフェースがＨＤＭＩ−５Ｖの高レベルを検出した場合）、スイッチＳ１及びスイッチＳ２の状態が変化し、つまりＡ１０ピンがＢ１０’ピンに接続され、Ｂ１０ピンがＡ１０’ピンに接続されるようになる。本実施例において、ＨＤＭＩ−５Ｖの位置を検出することでマルチメディアケーブルと電磁スクリーンモジュールとの接続関係を自動的に切り替えることにより、正面と裏面を区別せずにＵＳＢ−ｔｙｐｅ−Ｃインターフェースを挿入して使用できるようにし、更にユーザーの使用に利便性をもたらす。ケーブル材の設計が完了した後、そのピンの機能が決められたものであるため、実際に応用する際に、当業者が実際の状況に応じてアナログスイッチとＵＳＢ−ｔｙｐｅ−Ｃソケットとの接続関係を改めて設計すればよく、本発明では、アナログスイッチとＵＳＢ−ｔｙｐｅ−Ｃソケット、及びアナログスイッチと電磁スクリーンモジュールとの具体的な接続関係を制限せず、アナログスイッチの具体的な型番及び数も制限しない。
【００３５】
以上は、本発明の好適な実施を詳細に説明したが、本発明は前記実施例に制限されず、当業者であれば、本発明の趣旨を逸脱せずに種々の等価変形や置換を行うことができ、これらの等価変形や置換はいずれも本願の特許請求の範囲内に含まれる。
【図１】
2021518029.tif 000004
【図２】
2021518029.tif 000005
【図３】
2021518029.tif 000006
【図４】
2021518029.tif 000007
【国際調査報告】
2021518029.tif 000008
2021518029.tif 000009
2021518029.tif 000010
2021518029.tif 000011
2021518029.tif 000012